(57)【要約】      （修正有）【課題】床下からの外気を暖めた状態で室内に取り入れ、同時に、窓からの下降冷気も従来の暖房設備同様に対策し、コストを抑え、快適な住空間を得る暖房設備兼給気装置を提供する。【解決手段】断熱工法を問わず、居室のフロアラインと床下空間Ｋとの間に木材等で枠Ｃを設け、断熱材Ｄを枠Ｃの内側に設けた内部に、外気取入れ口１及び居室に通じるダクト２を設け、熱源からの温水が循環する銅管Ｆを、居室に通じるダクト２に螺旋状に巻き付け、ダクト２内の空気を暖め、外気をダクト２から暖めた状態で、居室に給気可能とするという構造とする。さらにコールドドラフト受け口４を設け、蓄熱材Ｇを通過させ暖める事によりコールドドラフト通気口５から対流を起こし窓Ｍからの冷気Ｂを対策した構成である。【選択図】図１
0003203157.tif 000002
【実用新案登録請求の範囲】
【請求項１】
断熱工法を問わず、住宅の床下空間が外気と通じる事が可能な
状況化において、外気を暖めた状態で室内へ給気すると同時に
窓からの下降冷気に対し受け口を設け、下降冷気を暖め上昇させ
室内へ対流することを特徴とする暖房設備兼給気装置。
【請求項２】
1階フロアラインと床下空間との間に設置し
窓からの下降冷気に対応しながら、外気を暖めた状態で
給気を可能とすることを特徴とする暖房設備兼給気装置。
【請求項３】
給気用ダクトに熱源からの温水が循環する銅管を
螺旋状に巻き、外気取入れ口には粗目の防虫用網を設け
室内側の給気口に風量調節可能部材を設けることを特徴とする
暖房設備兼給気装置。
【請求項４】
木材等の枠で囲い、断熱材を内側に設けた内部に
熱源からの温水が循環する銅管を、螺旋状に巻いた給気用ダクト及び
蓄熱材等が敷き詰められており、通気が可能な状態に保たれている事を
特徴とする暖房設備兼給気装置。
【請求項５】
暖房設備兼給気装置を用いて自然給気を行い、機械排気を行う
ことを特徴とする第三種換気の形態。
【請求項６】
暖房設備兼給気装置を用いて自然給気を行い、自然排気を行う
ことを特徴とするパッシブ換気の形態。
【請求項７】
暖房設備兼給気装置と、機械給排気を行う換気設備を組み合わせる
ことを特徴とする第一種換気の形態。
【考案の詳細な説明】
【技術分野】
【０００１】
本考案は、暖房設備兼給気装置に関するものである。
【背景技術】
【０００２】
従来の居室における第三種換気の給気口は
外壁面を貫通し給気口を設け、外気を取り入れるのが一般的であった。
【０００３】
しかし、従来の給気口は外気をそのまま居室内に取り入れるのが
一般的で、冬は冷たい空気が給気口から入り込み
暖房設備で居室内を暖める際の効率を悪化させ
電気代や暖房代も必要以上にかかってしまうという欠点があった。
さらに、居住者等が外気の流入を不快に感じ、給気口を締め切り
家全体が換気量不足に陥り
カビ・ダニ・結露の温床となり、建物全体の劣化を早めてしまう
可能性があるという欠点があった。
【先行技術文献】
【特許文献】
【０００４】
【特許文献１】特開平11-193936
【特許文献２】特開2003-50032
【特許文献３】特開2009-150643
【特許文献４】特開2010-19464
【考案の概要】
【考案が解決しようとする課題】
【０００５】
本考案は、以上のような従来の欠点に鑑み
給気口を設けた暖房設備を居室と床下空間の間に設置し
冬場、床下からの外気を暖めた状態で室内に取入れ
コストを抑え快適な住空間を提供する事を目的としている。
【課題を解決するための手段】
【０００６】
上記目的を達成するために、本考案はボイラーからの温水が流れる
銅管を床下空間から居室に通じる
ダクトに巻き付け、ダクト内の空気を暖め上昇させ
給気として取り入れる
【考案の効果】
【０００７】
以上の説明から明らかなように
本考案にあっては次に列挙する効果が得られる。
給気口を壁ではなく床下に設け、暖房設備を経由させて
外気を取り入れる構成となっている為
冬場、新鮮な外気を暖めた状態で室内に取り入れる事ができる。
【０００８】
床下と居室の間に設備を設置する為、居室を圧迫感なく広々と利用でき
景観も損ねない
【０００９】
居室内において、暖めた空気と冷たい空気による対流効果を利用し
外気を取り入れている為、給気において換気設備設置費用や
電気代等の維持費、運転音を抑えられる
【図面の簡単な説明】
【００１０】
【図１】本考案の暖房設備兼給気装置の概略構成図である。
【図２】本考案装置を上方から見た図である。
【図３】本考案装置を前方から見た図である。
【図４】本考案装置を左側方から見た図である。
【考案を実施するための形態】
【００１１】
以下、本考案の実施の形態を図に基づいて説明する。
【実施例】
【００１２】
図１は、本考案装置実施例の断面図であって
１から外気を取入れ、２で暖め、３から室内へ給気する。
【００１３】
図２は、本考案装置の実施例の上方から見た図であって
４から窓からの下降冷気を装置内へ取入れ
Ｇを通過させ、５から暖めた状態で室内へ対流する。
【産業上の利用可能性】
【００１４】
本考案は、住宅における給気口を暖房設備と一体化させる事により
コストを抑え、室内の景観を損ねる事なく
快適な空間を提供する事に適用できる
【符号の説明】
【００１５】
Ａ：暖気
Ｂ：冷気
Ｃ：枠
Ｄ：断熱材
Ｅ：ダクト
Ｆ：銅管
Ｇ：蓄熱材(石材・セラミック等)
Ｈ：通気ガラリ
Ｉ：通気用蓄熱材止め材
Ｊ：基礎通気ガラリ
Ｋ：床下空間
Ｌ：基礎
Ｍ：窓
１：床下外気取入れ口
２：銅管螺旋巻ダクト
３：給気口(風量調節部材使用)
４：コールドドラフト受け口
５：コールドドラフト通気口
６：温水暖房往き配管
７：温水暖房戻り配管
８：防虫用メッシュ(目詰まり防止の為粗目)
【図１】
0003203157.tif 000003
【図２】
0003203157.tif 000004
【図３】
0003203157.tif 000005
【図４】
0003203157.tif 000006
【手続補正書】
【提出日】平成28年1月20日(2016.1.20)
【手続補正１】
【補正対象書類名】実用新案登録請求の範囲
【補正対象項目名】全文
【補正方法】変更
【補正の内容】
【実用新案登録請求の範囲】
【請求項１】
断熱工法を問わず、居室のフロアラインと床下空間との間に木材等で枠を設け、
断熱材を枠の内側に設けた内部に、
外気取入れ口及び居室に通じるダクトを設け熱源からの温水が循環する銅管を、
居室に通じるダクトに螺旋状に巻き付け、
ダクト内の空気を暖め、外気をダクトから暖めた状態で、
居室に給気可能とするという構造としたことを特徴とする暖房設備兼給気装置。
【請求項２】
請求項１に記載の枠の内部に窓からの下降冷気に対してコールドドラフト受け口を設け、
窓からの下降冷気を請求項１に記載のダクトに加え、
蓄熱材等を通気可能な状態に敷き詰めた部分を通過させ暖める事により、
冷気を暖気にして室内へ対流させ、
窓からの下降冷気に対応するという構造としたことを特徴とする暖房設備兼給気装置。
【請求項３】
請求項１に記載の外気取入れ口には粗目の防虫用網を設け、
室内側の給気口に風量調節可能部材を設けることを特徴とする暖房設備兼給気装置。
【請求項４】
自然給気を行い、機械排気を行う第三種換気を行う居室において
利用されるという構造としたことを特徴とする請求項１〜３いずれかに
記載の暖房設備兼給気装置。
【請求項５】
自然給気を行い、自然排気を行うパッシブ換気を行う居室において
利用されるという構造としたことを特徴とする請求項１〜３いずれかに
記載の暖房設備兼給気装置。
【請求項６】
機械給排気を行う換気システムにおいて、居室へ機械給排気で熱交換した給気を
さらに暖める目的から請求項１に記載のダクトに接続し、
加温し居室内へ給気するという構造としたことを特徴とする、暖房設備兼給気装置。